(57)【特許請求の範囲】
【請求項１】
垂直磁気記録媒体に記録された情報の再生を行う情報再生装置であって，
垂直磁気記録媒体からＭＲヘッドを用いて読み出した信号の非対称性を補正する非対称補正回路と，
前記非対称補正回路の前段に設けられ，第１のカットオフ周波数でノイズを除去する第１のハイパスフィルタと，
前記非対称補正回路の後段に設けられ，前記第１のカットオフ周波数よりも高い第２のカットオフ周波数でノイズを除去する，近似的に微分特性を持つ第２のハイパスフィルタと，
を備えた
ことを特徴とする，情報再生装置。
【請求項２】
前記非対称補正回路は，前記垂直磁気記録媒体から読み出した信号を増幅するプリアンプ回路内に設けられる
ことを特徴とする，請求項１に記載の情報再生装置。
【請求項３】
前記非対称補正回路および前記第２のハイパスフィルタは，前記垂直磁気記録媒体から読み出した信号を増幅するプリアンプ回路内に設けられる
ことを特徴とする，請求項１に記載の情報再生装置。
【請求項４】
前記第２のハイパスフィルタは，サーマル・アスペリティを除去する
ことを特徴とする，請求項１〜３のいずれか１項に記載の情報再生装置。
【請求項５】
垂直磁気記録媒体に記録された情報の再生を行う情報再生装置であって，
垂直磁気記録媒体からＭＲヘッドを用いて読み出した信号の非対称性を補正する非対称補正回路と，
前記非対称補正回路の後段に設けられ，所定のカットオフ周波数でノイズを除去する，近似的に微分特性を持つハイパスフィルタと，
を備えた
ことを特徴とする，情報再生装置。
【請求項６】
前記非対称補正回路は，前記垂直磁気記録媒体から読み出した信号を増幅するプリアンプ回路内に設けられる
ことを特徴とする，請求項５に記載の情報再生装置。
【請求項７】
前記非対称補正回路および前記ハイパスフィルタは，前記垂直磁気記録媒体から読み出した信号を増幅するプリアンプ回路内に設けられる
ことを特徴とする，請求項５に記載の情報再生装置。
【請求項８】
前記ハイパスフィルタは，サーマル・アスペリティを除去する
ことを特徴とする，請求項５〜７のいずれか１項に記載の情報再生装置。
【発明の詳細な説明】
【技術分野】
【０００１】
本発明は，記録媒体に記録された情報の再生を行う情報再生装置にかかり，特に，垂直磁気記録媒体を用いた情報再生装置に関する。なお本発明は，再生信号が垂直磁気記録と同様に矩形状で上下の非対称性を持つような，他の情報再生装置への適用も可能である。また本発明は，少なくとも再生機能を有する装置に適用可能であるが，再生専用装置には限定されず，記録および再生が可能な装置，例えば，ハードディスクドライブ（Hard Disk Drive：ＨＤＤ）等にも適用可能である。
【背景技術】
【０００２】
コンピュータなどにおける情報記録再生装置として，ハードディスクドライブが広く用いられている。ハードディスクドライブの記録方式として，従来の水平記録方式に替わり垂直記録方式が実用化されつつある。媒体上の磁化情報は磁界の垂直成分がリードヘッドによって読み出され，電圧信号として検出される。その際，リードヘッドのρＨ特性に非対称性がある場合には，再生信号が上下非対称となり，ビットエラーレート（Bit Error Rate：ＢＥＲ）の劣化が起こる。従来の水平記録方式においては一般的に，二乗回路と加算器からなる非対称補正回路によって，ビットエラーレートの補償を行っていた（例えば，特許文献１参照。）。
【０００３】
【特許文献１】特開平９−３２０２０６号公報
【発明の開示】
【発明が解決しようとする課題】
【０００４】
ところで，垂直記録方式では再生信号の波形が水平記録方式と異なるため，微分特性に近いフィルタリングを施して水平記録時の信号に近似させ，復調を行うのが一般的となっている。しかし，このフィルタリングを非対称補正回路の前段階で行うと，非対称が補正できないという問題が明らかになった。すなわち，水平記録方式の場合には非対称補正回路による補正が可能であったが，垂直記録方式の場合，ハイパスフィルタ（High Pass Filter：ＨＰＦ）のカットオフ周波数の高域化（低周波成分の除去）により，非対称補正ができなくなるという問題が明らかになった。
【０００５】
本発明は，従来の情報再生装置が有する上記問題点に鑑みてなされたものであり，本発明の目的は，垂直記録時の再生信号における上下の非対称性の影響を抑えるとともに，ビットエラーレートの改善を図ることの可能な，新規かつ改良された情報再生装置を提供することである。
【課題を解決するための手段】
【０００６】
上記課題を解決するため，本発明の第１の観点によれば，媒体に記録された情報の再生を行う情報再生装置であって，媒体から読み出した信号の非対称性を補正する非対称補正回路と，前記非対称補正回路の前段に設けられ，第１のカットオフ周波数でノイズを除去する第１のハイパスフィルタと，前記非対称補正回路の後段に設けられ，前記第１のカットオフ周波数よりも高い第２のカットオフ周波数でノイズを除去する第２のハイパスフィルタと，を備えたことを特徴とする，情報再生装置が提供される。
【０００７】
上述のように，垂直記録方式の場合，ハイパスフィルタのカットオフ周波数の高域化（低周波成分の除去）により，非対称補正ができなくなるという問題があった。この点本発明では，第１のハイパスフィルタのカットオフ周波数の高い第２のカットオフ周波数でノイズを除去する第２のハイパスフィルタを，非対称補正回路の後段に配置している。第１のハイパスフィルタは主に，ＤＣ成分の除去（AC Coupling）等に用いられ，第２のハイパスフィルタの第一の目的は垂直記録方式の信号ノイズに適合した処理（一般には微分特性に近い処理）を行うことであり，第二の目的はサーマル・アスペリティ（Thermal Asperity）の除去などである。このようにして，垂直記録時の再生信号における上下の非対称性の影響を抑え，ビットエラーレートの改善を図ることが可能である。
【０００８】
上記本発明の情報再生装置において，前記非対称補正回路は，前記媒体から読み出した信号を増幅するプリアンプ回路内に設けてもよい。例えば，プリアンプ回路とリードチャネルを別個の集積回路（ＩＣ）として構成する場合，非対称補正回路を，プリアンプ回路と同一の集積回路（同一のＩＣチップ内）に設けてもよい。
【０００９】
また，前記非対称補正回路だけでなく，前記第２のハイパスフィルタにつても，プリアンプ回路内に設けるようにしてもよい。例えば，プリアンプ回路とリードチャネルを別個の集積回路（ＩＣ）として構成する場合，非対称補正回路および第２のハイパスフィルタを，プリアンプ回路と同一の集積回路（同一のＩＣチップ内）に設けてもよい。
【００１０】
また，第１のハイパスフィルタにおける第１のカットオフ周波数は例えばクロック周波数（ビット周期の逆数）の１．１％とすることができる。また，第２のハイパスフィルタにおける第２のカットオフ周波数は例えばクロック周波数（ビット周期の逆数）の１１％とすることができる。かかる場合に非対称補正の効果が最も改善され，さらに第２のハイパスフィルタによる波形等化の改善も得られるため，最も良好なビットエラーレート（Bit Error Rate：ＢＥＲ）が期待できる。
【００１１】
上記課題を解決するため，本発明の第２の観点によれば，媒体に記録された情報の再生を行う情報再生装置であって，媒体から読み出した信号の非対称性を補正する非対称補正回路と，前記非対称補正回路の後段に設けられ，所定のカットオフ周波数でノイズを除去するハイパスフィルタと，を備えたことを特徴とする，情報再生装置が提供される。
【００１２】
上記本発明の第１の観点にかかる情報再生装置において，非対称補正回路の前段に設けられる第１のハイパスフィルタは，主に，ＤＣ成分の除去（AC Coupling）等に用いられる。従って，回路的なＤＣ成分の除去（AC Coupling）等の問題がなければ，非対称補正回路後の第２のハイパスフィルタのみを設ければよい。そこで，本発明の第２の観点にかかる情報再生装置では，少なくとも非対称補正回路の後段にハイパスフィルタを設ける構成を採用する。かかる構成によれば，回路的なＤＣ成分の除去（AC Coupling）等の問題がないことを前提として，垂直記録時の再生信号における上下の非対称性の影響を抑え，ビットエラーレートの改善を図ることが可能である。
【００１３】
上記本発明の情報再生装置において，前記非対称補正回路は，前記媒体から読み出した信号を増幅するプリアンプ回路内に設けてもよい。例えば，プリアンプ回路とリードチャネルを別個の集積回路（ＩＣ）として構成する場合，非対称補正回路を，プリアンプ回路と同一の集積回路（同一のＩＣチップ内）に設けてもよい。
【００１４】
また，前記非対称補正回路だけでなく，前記ハイパスフィルタについても，プリアンプ回路内に設けるようにしてもよい。例えば，プリアンプ回路とリードチャネルを別個の集積回路（ＩＣ）として構成する場合，非対称補正回路および第２のハイパスフィルタを，プリアンプ回路と同一の集積回路（同一のＩＣチップ内）に設けてもよい。
【００１５】
また，ハイパスフィルタのカットオフ周波数は，例えばクロック周波数（ビット周期の逆数）の１１％とすることができる。かかる場合に非対称補正の効果が最も改善され，さらにハイパスフィルタによる波形等化の改善も得られるため，最も良好なビットエラーレート（Bit Error Rate：ＢＥＲ）が期待できる。
【発明の効果】
【００１６】
以上のように，本発明によれば，ハイパスフィルタを非対称補正回路の後段に配置し，あるいは，非対称補正回路の前段と後段とに分割して配置し，前段はカットオフ周波数を低く，後段はカットオフ周波数を高くして設定することにより，再生信号の非対称性の影響を抑え，ビットエラーレート（Bit Error Rate：ＢＥＲ）の改善を図ることが可能である。その他の本発明の効果については，以下の発明を実施するための最良の形態で説明する。
【発明を実施するための最良の形態】
【００１７】
以下に添付図面を参照しながら，本発明にかかる情報再生装置の好適な実施形態について詳細に説明する。以下では，本発明にかかる情報再生装置の一例として，垂直磁気記録媒体を用いたハードディスクドライブについて説明するが，本発明がこれに限定されるものではない。なお，本明細書および図面において，実質的に同一の機能構成を有する構成要素については，同一の符号を付することにより重複説明を省略する。
【００１８】
まず，図１を参照しながら，ハードディスクドライブにおける記録および再生の流れを説明する。図１は，ハードディスクドライブ１００の一構成例を示すブロック図であり，図中の矢印は情報の流れを示す。以下，情報の流れを中心に説明する。
【００１９】
ハードディスクドライブ１００は，リードチャネル１０２とプリアンプ部１０４とヘッド部１０６に大別される。リードチャネル部１０２とプリアンプ部１０４には，以下に説明する様々な機能を有する回路が集積されている。また，ヘッド部１０６は，媒体１０８に対する記録および再生を行う。
【００２０】
（記録）
リードチャネル１０２にライトデータ１１０が入力されると，ランレングス符号化回路（Run Length Limited Code：ＲＬＬ符号化）１１２でライトデータ１１０の符号化が行われ，記録補償回路（Write Pre-Compensation）１１４で記録パルスのタイミング補正が行われる。これはＮＬＴＳ（Non-Linear Transition Shift）と呼ばれる，記録時の磁化反転のずれをあらかじめ補正するためのものである。この記録パルスはプリアンプ部１０４に送られる。そして，ライトドライバ１１６の制御により，記録パルスが記録電流に変換されてライトヘッド１１８に送られる。そして，ライトヘッド１１８のコイルに電流が流れ，そこで発生される磁界で媒体１０８への記録が行われる。
【００２１】
（再生）
リードヘッド（ＭＲヘッドとも称される）１２０によって再生された信号はプリアンプ（Pre-Amplifier）１２２で増幅され，リードチャネル１０２内のハイパスフィルタ（High Pass Filter：ＨＰＦ）１２４に入力される。ハイパスフィルタ１２４の主な機能は電気回路的に問題となるＤＣ成分の除去（AC Coupling）であるが，カットオフ周波数を高くして，サーマル・アスペリティ（Thermal Asperity）などの除去にも用いられる。
【００２２】
さらに，可変利得増幅器（Variable Gain Amplifier：ＶＧＡ）１２６で振幅のばらつきが吸収され，非対称補正回路（MR Asymmetry Correction：ＭＲＡＣ）１２８によって上下振幅の非対称性が補正される（図２を参照しながら後述する）。非対称補正回路１２６により上下振幅の非対称性が補正された信号は，ローパスフィルタ１３０によりノイズが除去された後，アナログデジタル変換器１３２によりデジタル信号に変換される。このデジタル信号は，デジタルフィルタ１３４により所望の形に変形された後，ビタビ復号器２３８にて最尤復号される。さらに，ランレングス復号化回路１３８にてランレングス復号化処理されて，リードデータ１４０として出力される。
【００２３】
図２はリードヘッド１２０の入出力特性（ρＨ特性）を示す説明図である。
【００２４】
線形な場合，すなわち非対称性が無く０％の場合（図中の破線）と，非対称性が−３０％の場合（図中の実線）を示す。非対称性が−３０％の場合，図中の実線のグラフは２次の関数で近似でき，非対称性はこの２次成分からなる。非補正対称回路１２８では入力信号を二乗し，これを元の入力信号に加算（あるいは減算）することで２次成分の除去を行い，非対称性の補正を行う。
【００２５】
図３〜図６は，水平記録方式（Longitudinal Magnetic Recording：ＬＭＲ）と垂直記録方式（Perpendicular Magnetic Recording：ＰＭＲ）の信号波形を比較するための説明図である。
【００２６】
図３は，水平記録方式の場合のリードヘッド１２０の出力であり，非対称性が無い場合（図中の破線）と−３０％の場合（図中の実線）の例を示す。この両者の差は前述した二乗操作と加算器で埋めることが可能である。
【００２７】
図４は，水平記録方式の場合のハイパスフィルタ１２４の出力であり，カットオフ周波数をクロック周波数（ビット周期の逆数）の０．６％に設定した場合を示している。図３のリードヘッド１２０の出力とほぼ同じ形をしており，非対称補正回路１２８で十分補正され得る。この例ではハイパスフィルタ１２４のカットオフ周波数はクロック周波数（ビット周期の逆数）の０．６％に設定しているが，通常のサーマル・アスペリティ（Thermal Asperity）の除去（ＴＡ補正とも称される。）を行わない場合には，０．５〜１％程度に設定されるのが一般的である。
【００２８】
一方，図５は，垂直記録方式の場合のリードヘッド１２０の出力であり，非対称性が無い場合（図中の破線）と−３０％の場合（図中の実線）の例を示す。このように，垂直記録方式では，水平記録方式の場合と波形が異なる。そこで水平記録方式と同様の復調方法を行うためには，微分処理を行う必要がある。
【００２９】
図６は，カットオフ周波数を上げた場合のハイパスフィルタ１２４の出力であり，非対称性が無い場合（図中の破線）と−３０％の場合（図中の実線）の例を示す。このように，垂直記録方式においても，ハイパスフィルタ１２４のカットオフ周波数を上げることで，容易に近似的な微分波形を得ることができる。しかしながら，振幅の非対称性は上下のタイミングのずれ（正側ピークは前方に負側ピークは後方にシフト）に代わり，従来の非対称補正回路では補正が不可能となる。
【００３０】
そこで本実施形態では，図７に示した構成を採用することにより，上記問題点を解決する。以下に，本実施形態にかかるハードディスクドライブ２００について説明する。
【００３１】
ハードディスクドライブ２００は，図７に示したように，リードチャネル部２０２とプリアンプ部２０４とヘッド部２０６に大別される。リードチャネル部２０２とプリアンプ部２０４には，以下に説明する様々な機能を有する回路が集積されている。リードチャネル部２０２とプリアンプ部２０４は，別個のＩＣチップ上に形成してもよく，同一のＩＣチップ上に形成してもよい。また，ヘッド部２０６は，媒体２０８に対する記録および再生を行う。以下，リードチャネル部２０２とプリアンプ部２０４の回路を中心に各構成要素を説明する。
【００３２】
ランレングス符号化回路（Run Length Limited Code：ＲＬＬ符号化）２１２は，リードデータ２１０の符号化を行う回路である。このランレングス符号化回路２１２は，ライトデータ２１０の情報“０”の長さを制限して符号化を行うことから，ゼロ連続制限符号化回路とも称される。このランレングス符号化回路２１２で符号化されたライトデータはパルス信号（以下，記録パルスという。）として後段に送られる。
【００３３】
記録補償回路（Write Pre-Compensation）２１４は，記録パルスのタイミング補正を行う回路であり，記録時に発生するライトヘッドと媒体と相互作用による磁化反転のずれをタイミング補正する回路である。この磁化反転のずれは，ＮＬＴＳ（Non-Linear Transition Shift）と呼ばれる。
【００３４】
記録補償回路２１４で補正された記録パルスは，プリアンプ部２０４のライトドライバ２１６に送られる。ライトドライバ２１６は，デジタル信号である記録パルスを，電気信号である記録電流に変換する。このような機能から，ライトドライバ２１６は，電流駆動回路とも称される。
【００３５】
記録補償回路２１４で変換された記録電流は，ライトヘッド２１８に送られる。ライトヘッド２１８は，コイルで構成されている。このコイルに記録電流が流れ，コイルで発生される磁界で媒体２０８への磁気記録が行われる。
【００３６】
リードヘッド２２０は，媒体２０８から読み出した磁界を抵抗変換することで，媒体２０８に記録された情報を電気信号として読み出すヘッドである。かかるリードヘッド２２０としては，ジャイアントＭＲ効果を利用したＧＭＲと称されるヘッドや，トンネル効果を利用したＴＭＲと称されるヘッドなどを利用することができる。これらはＭＲヘッドと総称される。
【００３７】
リードヘッド２２０によって再生された信号はプリアンプ（Pre-Amplifier）２２２で増幅される。プリアンプ２２２で増幅された信号は，リードチャネル部２０２の初段に設けられた第１のハイパスフィルタ（High Pass Filter：ＨＰＦ）２２４に入力される。第１のハイパスフィルタ２２４の主な機能は電気回路的に問題となるＤＣ成分の除去（AC Coupling）である。以下では説明の便宜上，第１のハイパスフィルタ２２４のカットオフ周波数を，第１のカットオフ周波数という。第１のカットオフ周波数の詳細についてはさらに後述する。
【００３８】
可変利得増幅器（Variable Gain Amplifier：ＶＧＡ）２２６は，第１のハイパスフィルタ２２４を介した信号の振幅のばらつきを吸収する機能を有する。
【００３９】
非対称補正回路（MR Asymmetry Correction：ＭＲＡＣ）２２８は，可変利得増幅器２２６を介した信号の上下振幅の非対称性を補正するための回路である。
【００４０】
第２のハイパスフィルタ（High Pass Filter：ＨＰＦ）２３０は，垂直記録方式の信号・ノイズに適合した処理を行うフィルタである。一般には微分特性に近い処理を行う。このために第２のハイパスフィルタ２３０は，第１のハイパスフィルタ２２４のカットオフ周波数（第１のカットオフ周波数）よりも高いカットオフ周波数特性を有する。以下では説明の便宜上，第２のハイパスフィルタ２３０のカットオフ周波数を，第２のカットオフ周波数という。第２のカットオフ周波数の詳細についてはさらに後述する。
【００４１】
第２のハイパスフィルタ２３０の主な機能は，サーマル・アスペリティ（Thermal Asperity）の除去と，垂直記録方式の信号・ノイズに適合した処理（一般には微分特性に近い処理）である。サーマル・アスペリティ（Thermal Asperity）とは，ＭＲヘッドが使われることに起因するリードエラーである。媒体上に何らかの異物（突起やごみなど）があった場合に，ＭＲヘッドがその異物に衝突し，その衝突のエネルギーで素子の温度が上がる。すると，ＭＲヘッドの抵抗値が変わり，媒体から得られた磁界の信号変化と区別が付かなくなってしまう。そこで，第２のハイパスフィルタ２３０は，カットオフ（Cutoff）周波数を高くして，サーマル・アスペリティ（Thermal Asperity）の除去を行う。
【００４２】
このように本実施形態では，近似的な微分操作を行う第２のハイパスフィルタ２３０を非対称補正回路２２８の後段に配置する。第１のハイパスフィルタ２２４では従来と同様にＤＣ成分の除去（AC Coupling）を行い，第２のハイパスフィルタ２３０ではカットオフ周波数を第１のハイパスフィルタよりも上げて，サーマル・アスペリティ（Thermal Asperity）を除去するとともに，垂直記録方式の信号・ノイズに適合した処理（一般には微分特性に近い処理）を行う。
【００４３】
ローパスフィルタ（Low Pass Filter）２３２は，アナログ的なフィルタであり，ノイズを除去するフィルタである。ローパスフィルタ２３０は，例えばローパスフィルタとすることができる。さらに，ローパスフィルタ２３０は，強調したい周波数の信号を強調する機能（ブースト機能）を併せ持つことも可能である。
【００４４】
アナログデジタル変換器（Analog/Digital Converter：ＡＤＣ）２３４は，アナログ信号である電気信号を，デジタル信号であるパルス信号に離散化する機能を有する。
【００４５】
デジタルフィルタ（Finite Impulse Response Filter：ＦＩＲフィルタ）２３６は，離散化されたデジタル信号を所望の形にするフィルタである。
【００４６】
ビタビ復号器（Viterbi Detector）２３８は，デジタル信号を最尤復号する。すなわち，デジタル信号を最も適切な信号に復号する。
【００４７】
ランレングス復号化回路（Run Length Limited Decode：ＲＬＬ復号化）２４０は，ビタビ復号器２３８により復号された信号をランレングス復号化処理して，リードデータ２４２とする。
【００４８】
図７に示した構成はハードディスクドライブの一構成例に過ぎず，必ずしもすべての構成要素（機能ブロック）が必須のものではない。また，別の構成要素が追加されていてもよい。
【００４９】
以上，本実施形態にかかるハードディスクドライブ２００の構成について説明した。本実施形態では，近似的な微分操作を行う第２のハイパスフィルタ２３０を非対称補正回路２２８の後段に配置し，第１のハイパスフィルタ２２４では従来と同様にＤＣ成分の除去（AC Coupling）を行う。そして，第２のハイパスフィルタ２３０では，カットオフ周波数を第１のハイパスフィルタよりも上げて垂直記録方式の信号・ノイズに適合した処理（一般には微分特性に近い処理）を行う点を特徴とする。
【００５０】
（シミュレーション結果）
図８に実際の垂直記録方式の再生波形を用いてハイパスフィルタの影響をシミュレーションした結果を示す。図８において縦軸は，ビットエラーレート（Bit Error Rate：ＢＥＲ）の指標となるパラメータ（Viterbi信頼度情報）である。図１に示した構成においてハイパスフィルタ１２４のカットオフ周波数＝１．１％の場合には，従来の非対称補正によりビットエラーレートは改善されて行く。一方，ハイパスフィルタ１２４のカットオフ周波数＝１１％の場合には従来の非対称補正の効果は弱まる。
【００５１】
そこで，図７に示した構成のように，非対称補正回路２２８の前段に第１のハイパスフィルタ２２４を設け，後段に第２のハイパスフィルタ２３０を設ける。そして，前段の第１のカットオフ周波数＝１．１％，後段の第２のカットオフ周波数＝１１％とした場合には，非対称補正の効果は改善され，さらに，第２のハイパスフィルタ２３０による波形等化の改善も得られるため，最も良好なビットエラーレートが期待できる。
【００５２】
（本実施形態の効果）
以上説明したように，本実施形態によれば，非対称補正回路の前段と後段にハイパスフィルタを置き，前段のカットオフ周波数＝１．１％，後段のカットオフ周波数＝１１％とした場合には，非対称補正の効果は改善され，しかも第２のハイパスフィルタによる波形等化の改善も得られるため，最も良好なビットエラーレートが期待できる。
【００５３】
以上，添付図面を参照しながら本発明にかかる情報再生装置の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００５４】
例えば，上記実施形態では２つのハイパスフィルタを用いた場合について説明したが（図７），本発明はこれに限定されない。回路的なＤＣ成分の除去（AC Coupling）等の問題がなければ，非対称補正回路後の第２のハイパスフィルタのみでよい。
【００５５】
また，図７に示した構成では，第２のハイパスフィルタは非対称補正回路の直後に設けているが，本発明はこれに限定されず，非対称補正回路の後段（特に，非対称補正回路とアナログデジタル変換器の間）であれば，どこに挿入してもよい。
【００５６】
また，プリアンプ部にもハイパスフィルタが設けられることがあるが，これも非対称補正回路の前段であるため，第１のハイパスフィルタと同じ扱いになる。変形例として，プリアンプ部に非対称補正回路を設けた場合も，その非対称補正回路よりも前段のハイパスフィルタに比べて，後段のハイパスフィルタのカットオフ周波数を高くすれば，同様の効果が期待できる。この場合の後段のハイパスフィルタは，プリアンプ部またはリードチャネル部のいずれに設けてもよい。
【産業上の利用可能性】
【００５７】
本発明は，記録媒体に記録された情報の再生を行う情報再生装置に利用可能であり，特に，垂直磁気記録媒体を用いた情報再生装置に利用可能である。なお本発明は，再生信号が垂直磁気記録と同様に矩形状で上下の非対称性を持つような，他の情報再生装置への適用も可能である。また本発明は，少なくとも再生機能を有する装置に適用可能であるが，再生専用装置には限定されず，記録および再生が可能な装置，例えば，ハードディスクドライブ（Hard Disk Drive：ＨＤＤ）等にも適用可能である。
【図面の簡単な説明】
【００５８】
【図１】ハードディスクドライブの記録／再生の流れを示す説明図である。
【図２】リードヘッドの入出力特性（ρＨ特性）を示す説明図である。
【図３】水平記録方式の場合のリードヘッドの出力を示す説明図である。
【図４】水平記録方式の場合のハイパスフィルタの出力を示す説明図である。
【図５】垂直記録方式の場合のリードヘッドの出力を示す説明図である。
【図６】垂直記録方式の場合のハイパスフィルタの出力を示す説明図である。
【図７】本発明の一実施形態にかかるハードディスクドライブを示す説明図である。
【図８】ハイパスフィルタのカットオフ周波数がビットエラーレートに与える影響を示す説明図である。
【符号の説明】
【００５９】
２００  ハードディスクドライブ
２０２  リードチャネル部
２０４  プリアンプ部
２０６  ヘッド
２０８  媒体
２１０  ライトデータ
２１２  ランレングス復号化回路
２１４  記録補償回路
２１６  ライトドライバ
２１８  ライトヘッド
２２０  リードヘッド
２２２  プリアンプ
２２４  第１のハイパスフィルタ
２２６  可変利得増幅器
２２８  非対称補正回路
２３０  第２のハイパスフィルタ
２３２  ローパスフィルタ
２３４  アナログデジタル変換器
２３６  デジタルフィルタ
２３８  ビタビ検波器
２４０  ランレングス符号化回路
２４２  リードデータ
【図１】
0005317076.tif 000002
【図２】
0005317076.tif 000003
【図３】
0005317076.tif 000004
【図４】
0005317076.tif 000005
【図５】
0005317076.tif 000006
【図６】
0005317076.tif 000007
【図７】
0005317076.tif 000008
【図８】
0005317076.tif 000009